(57)【特許請求の範囲】
【請求項１】
上面に配管収容用の溝が設けられた略方形状の６枚の基板と、
該溝に収容された温調用配管と、
各基板の上面を覆うように配置され、各基板の上面に付着された均熱シートと
を有し、
６枚の前記基板Ａ〜Ｆは、
基板Ａ，Ｂ，Ｃがこの順に一列に配列され、
基板Ｄ，Ｅ，Ｆがこの順に、且つ基板Ｄが基板Ａに隣接し、基板Ｅが基板Ｂに隣接し、基板Ｆが基板Ｃに隣接するように配列されており、
基板Ａ，Ｂ同士、基板Ｂ，Ｃ同士、基板Ｄ，Ｅ同士、基板Ｅ，Ｆ同士、基板Ａ，Ｄ同士、及び基板Ｃ，Ｆ同士の間で、それぞれ、双方の基板に跨って連続して前記温調用配管が引き回されており、これにより、これらの基板Ａ，Ｂ同士、基板Ｂ，Ｃ同士、基板Ｄ，Ｅ同士、基板Ｅ，Ｆ同士、基板Ａ，Ｄ同士及び基板Ｃ，Ｆ同士がそれぞれ該温調用配管を介して連結されている温調マットにおいて、
前記均熱シートは、前記基板Ｂ，Ｅ同士の突き合わせ部には跨っておらず、
温調マットの上面の全面を覆うように不織布が付着されており、前記基板Ｂ，Ｅ同士の突き合わせ部に沿って該不織布にスリットが設けられていないことを特徴とする温調マット。
【請求項２】
請求項１の温調マットを折り畳んだ温調マット折り畳み体であって、
基板Ａの上面が基板Ｂの上面に重なり、基板Ｄの上面が基板Ｅの上面に重なるように基板Ａ，Ｂ間及び基板Ｄ，Ｅ間が折り返され、
基板Ｃの上面が基板Ｂの上面に重なり、基板Ｆの上面が基板Ｅの上面に重なるように基板Ｂ，Ｃ間及び基板Ｅ，Ｆ間が折り返され、
この折り返された基板Ｂの下面が基板Ｅの下面に重なるように基板Ａ，Ｄ間、基板Ｃ，Ｆ間及び基板Ｂ，Ｅ間が折り返されている温調マット折り畳み体。
【請求項３】
請求項２の温調マット折り畳み体が気密な袋内に収納された梱包体であって、
該袋内が減圧状態となっていることを特徴とする温調マット梱包体。
【発明の詳細な説明】
【技術分野】
【０００１】
本発明は、建物の室の床、壁、天井等の暖房や冷房を行うための温調マットを折り畳んでなる折り畳み体に係り、特に、６枚の基板を有する温調マットと、その折り畳み体及び梱包体に関する。
【０００２】
なお、以下の説明において、温調マットの上面とは、該温調マットを床上に展開したときの上面をいい、温調マットの下面とは、該温調マットを床上に展開したときの下面をいう。
【背景技術】
【０００３】
床暖房構造として、板状のベースの上面の溝に温水配管を引き回した温水マットがある。この温水マットとして、折り重ねる如く折り畳んだものが実用化されている。温水マットを折り畳むことにより、運搬時等の取り扱い性が良好なものとなる。
【０００４】
この折り畳み体の従来例として、特開２００８−３０９３７６号公報に記載のものがある。
【０００５】
特許文献１の温調マットの折り畳み体は、上面に配管収容用の溝が設けられた略方形状の６枚の基板と、該溝に収容された温調用配管と、各基板の上面を覆うように配置され、各基板の上面に付着された均熱シートとを有し、該基板同士の突き合わせ部に沿って折り畳まれた温調マットの折り畳み体において、６枚の前記基板Ａ〜Ｆは、基板Ａ，Ｂ，Ｃがこの順に一列に配列され、基板Ｄ，Ｅ，Ｆがこの順に、且つ基板Ｄが基板Ａに隣接し、基板Ｅが基板Ｂに隣接し、基板Ｆが基板Ｃに隣接するように配列されており、基板Ａ，Ｂ同士、基板Ｂ，Ｃ同士、基板Ｄ，Ｅ同士、基板Ｅ，Ｆ同士、基板Ａ，Ｄ同士、及び基板Ｃ，Ｆ同士の間で、それぞれ、双方の基板に跨って連続して前記温調用配管が引き回されており、これにより、これらの基板Ａ，Ｂ同士、基板Ｂ，Ｃ同士、基板Ｄ，Ｅ同士、基板Ｅ，Ｆ同士、基板Ａ，Ｄ同士及び基板Ｃ，Ｆ同士がそれぞれ該温調用配管を介して連結されており、基板Ａが基板Ｂにのみ重なり、且つ基板Ｃが基板Ｂにのみ重なるように基板Ａ，Ｂ間及び基板Ｂ，Ｃ間がそれぞれ谷折りされると共に、基板Ｄが基板Ｅにのみ重なり、且つ基板Ｆが基板Ｅにのみ重なるように基板Ｄ，Ｅ間及び基板Ｅ，Ｆ間がそれぞれ谷折りされることにより１次折り畳み体とされ、この１次折り畳み体の基板Ａ，Ｄ間及び基板Ｃ，Ｆ間がそれぞれ山折りされて形成されたことを特徴とするものである。
【０００６】
特許文献１には、上記の谷折りと山折りを逆にしたものも記載されている。
【０００７】
特許文献１の温調マットの折り畳み体では、６枚の基板Ａ〜Ｆのうち基板Ａ〜Ｃが一列に配列され、これに隣接して基板Ｄ〜Ｆが一列に配列されている。基板Ａ，Ｂ同士、基板Ｂ，Ｃ同士、基板Ｄ，Ｅ同士、基板Ｅ，Ｆ同士、基板Ａ，Ｄ同士、及び基板Ｃ，Ｆ同士の間では、それぞれ、双方の基板に跨って連続して温調用配管が引き回されており、これにより、これらの基板Ａ，Ｂ同士、基板Ｂ，Ｃ同士、基板Ｄ，Ｅ同士、基板Ｅ，Ｆ同士、基板Ａ，Ｄ同士及び基板Ｃ，Ｆ同士がそれぞれ該温調用配管を介して連結されている。
【先行技術文献】
【特許文献】
【０００８】
【特許文献１】特開２００８−３０９３７６号公報
【発明の概要】
【発明が解決しようとする課題】
【０００９】
上記特許文献１の温調マットは、剛性の高い合板又はコンクリートスラブ等の床材上に敷設されたときには、基板同士がズレ動くことはないが、畳などの剛性が比較的低い床材の上に敷設された場合には、人が温調マットの上を歩いたりすることにより基板同士がズレ易い。
【００１０】
本発明は畳など比較的剛性の低い床材の上に敷設された場合でも、基板同士がズレ動くことが防止される温調マットと、その折り畳み体及び梱包体を提供することを目的とする。
【課題を解決するための手段】
【００１１】
第１発明の温調マットは、上面に配管収容用の溝が設けられた略方形状の６枚の基板と、該溝に収容された温調用配管と、各基板の上面を覆うように配置され、各基板の上面に付着された均熱シートとを有し、６枚の前記基板Ａ〜Ｆは、基板Ａ，Ｂ，Ｃがこの順に一列に配列され、基板Ｄ，Ｅ，Ｆがこの順に、且つ基板Ｄが基板Ａに隣接し、基板Ｅが基板Ｂに隣接し、基板Ｆが基板Ｃに隣接するように配列されており、基板Ａ，Ｂ同士、基板Ｂ，Ｃ同士、基板Ｄ，Ｅ同士、基板Ｅ，Ｆ同士、基板Ａ，Ｄ同士、及び基板Ｃ，Ｆ同士の間で、それぞれ、双方の基板に跨って連続して前記温調用配管が引き回されており、これにより、これらの基板Ａ，Ｂ同士、基板Ｂ，Ｃ同士、基板Ｄ，Ｅ同士、基板Ｅ，Ｆ同士、基板Ａ，Ｄ同士及び基板Ｃ，Ｆ同士がそれぞれ該温調用配管を介して連結されている温調マットにおいて、前記均熱シートは、前記基板Ｂ，Ｅ同士の突き合わせ部には跨っておらず、温調マットの上面の全面を覆うように不織布が付着されており、前記基板Ｂ，Ｅ同士の突き合わせ部に沿って該不織布にスリットが設けられていることを特徴とするものである。
【００１２】
第２発明の温調マットは、上面に配管収容用の溝が設けられた略方形状の６枚の基板と、該溝に収容された温調用配管と、各基板の上面を覆うように配置され、各基板の上面に付着された均熱シートとを有し、６枚の前記基板Ａ〜Ｆは、基板Ａ，Ｂ，Ｃがこの順に一列に配列され、基板Ｄ，Ｅ，Ｆがこの順に、且つ基板Ｄが基板Ａに隣接し、基板Ｅが基板Ｂに隣接し、基板Ｆが基板Ｃに隣接するように配列されており、基板Ａ，Ｂ同士、基板Ｂ，Ｃ同士、基板Ｄ，Ｅ同士、基板Ｅ，Ｆ同士、基板Ａ，Ｄ同士、及び基板Ｃ，Ｆ同士の間で、それぞれ、双方の基板に跨って連続して前記温調用配管が引き回されており、これにより、これらの基板Ａ，Ｂ同士、基板Ｂ，Ｃ同士、基板Ｄ，Ｅ同士、基板Ｅ，Ｆ同士、基板Ａ，Ｄ同士及び基板Ｃ，Ｆ同士がそれぞれ該温調用配管を介して連結されている温調マットにおいて、前記均熱シートは、前記基板Ｂ，Ｅ同士の突き合わせ部には跨っておらず、温調マットの上面の全面を覆うように不織布が付着されており、前記基板Ｂ，Ｅ同士の突き合わせ部に沿って該不織布にスリットが設けられていないことを特徴とするものである。
【００１３】
第３発明の温調マット折り畳み体は、第１発明の温調マットを折り畳んだ温調マット折り畳み体であって、基板Ａの下面が基板Ｂの下面に重なり、基板Ｄの下面が基板Ｅの下面に重なるように基板Ａ，Ｂ間及び基板Ｄ，Ｅ間が折り返され、基板Ｃの下面が基板Ｂの下面に重なり、基板Ｆの下面が基板Ｅの下面に重なるように基板Ｂ，Ｃ間及び基板Ｅ，Ｆ間が折り返され、この折り返された基板Ａの上面が基板Ｄの上面に重なり、折り返された基板Ｃの上面が基板Ｆの上面に重なるように基板Ａ，Ｄ間、基板Ｃ，Ｆ間及び基板Ｂ，Ｅ間が折り返されているものである。
【００１４】
第４発明の温調マット折り畳み体は、第１発明の温調マットを折り畳んだ温調マット折り畳み体であって、基板Ａの上面が基板Ｂの上面に重なり、基板Ｄの上面が基板Ｅの上面に重なるように基板Ａ，Ｂ間及び基板Ｄ，Ｅ間が折り返され、基板Ｃの上面が基板Ｂの上面に重なり、基板Ｆの上面が基板Ｅの上面に重なるように基板Ｂ，Ｃ間及び基板Ｅ，Ｆ間が折り返され、この折り返された基板Ａの下面が基板Ｄの下面に重なり、折り返された基板Ｃの下面が基板Ｆの下面に重なるように基板Ａ，Ｄ間、基板Ｃ，Ｆ間及び基板Ｂ，Ｅ間が折り返されているものである。
【００１５】
第５発明の梱包体は、第３又は第４発明の温調マット折り畳み体が気密な袋内に収納された梱包体であって、該袋内が減圧状態となっていることを特徴とする。
【発明の効果】
【００１６】
本発明の温調マットは、その上面のうち基板Ｂ，Ｅ同士の突き合わせ部以外の全体に不織布が付着されており、基板のズレ動きが防止される。基板Ｂ，Ｅ同士の突き合わせ部では、均熱シートが跨っておらず無理なく折り畳める。そして、不織布にスリットが設けられているので、基板を折り畳む際に該スリットが開き出し、温調マットを無理なく折り畳むことができる。更に当該スリットを設けないことで、不織布が伸縮性を有するので、折り畳み時にはこれが延びて無理なく折り畳め且つ、基板Ｂ，Ｅ同士の突き合わせ部を不織布で繋ぐことが出来るので基板の連結効果が期待出来る。
【００１７】
温調マット折り畳み体を気密な袋内に収容し、内部を減圧することにより、温調マット折り畳み体を著しく減容させることができるので、該折り畳み体の輸送や保管が容易となる。
【図面の簡単な説明】
【００１８】
【図１】（ａ）は実施の形態に係る温調マットの平面図である。（ｂ）は（ａ）のｂ−ｂ線拡大断面図である。（ｃ）は（ａ）のｃ−ｃ線拡大断面図である。（ｄ）は（ａ）のｄ−ｄ断面図及びｅ−ｅ断面図である。
【図２】図１（ａ）の温調マットから不織布及び均熱シートを取り除いた状態の平面図である。
【図３】図２のIII部分の拡大図である。
【図４】図１のIV−IV線拡大断面図である。
【図５】（ａ）は温調マットの１次折り畳みを示す平面図、（ｂ），（ｃ）は（ａ）のｂ−ｂ線及びｃ−ｃ線矢視図、（ｄ）は（ａ）のｄ−ｄ線拡大断面図である。
【図６】（ａ）は温調マットの２次折り畳みを示す平面図、（ｂ），（ｃ）は（ａ）のＢ−Ｂ線及びＣ−Ｃ線矢視図である。
【図７】（ａ）は図５のVIIａ−VIIａ線断面図、（ｂ）は図６のVIIｂ−VIIｂ線断面図である。
【図８】図７のVIII−VIII線断面図である。
【図９】（ａ）は図２のIX部分の拡大図である。（ｂ）は均熱シート及び不織布を設けた状態における（ａ）のｂ−ｂ線断面図である。
【図１０】図５のＸ−Ｘ線断面図である。
【発明を実施するための形態】
【００１９】
以下、図面を参照して実施の形態について説明する。なお、以下の各実施の形態は本発明の一例であり、本発明は以下の各実施の形態以外の形態をもとりうる。
【００２０】
この温調マット１は、略長方形状の６枚の基板Ａ〜Ｆと、各基板Ａ〜Ｆの上面に設けられた溝２に配材された温調配管としての温水配管３と、該温水配管３が連なるヘッダー４と、各基板Ａ〜Ｆの上面を覆うように配置され、各基板Ａ〜Ｆの上面に付着された均熱シート５と、均熱シート５の上面に付着された不織布６等を備えている。
【００２１】
基板Ａ〜Ｆとしては、密度が１０〜１００ｋｇ／ｍ３程度の発泡ポリプロピレン、発泡ポリエチレン、発泡ポリスチレン、発泡ポリウレタンなどを用いることができる。均熱シート５としては、厚さ２０〜１５０ｍｍ程度のアルミ箔、銅箔等を用いることができる。不織布６としては、ポリプロピレン繊維、ポリスチレン繊維などよりなり、厚さ０．１〜２ｍｍ、目付５０〜３００ｇ／ｍ２程度のものを用いることができる。均熱シート５及び不織布６の付着には、エチレン−酢酸ビニル系、ポリアミド系、ポリエステル系等の接着剤を用いることができる。ただし、これらは一例であって、本発明はこれらに限定されない。
【００２２】
この実施の形態では、基板Ｂ，Ｅは、互いの長辺の長さ及び互いの短辺の長さがそれぞれ略等しいものとなっている。また、基板Ａ，Ｃ，Ｄ，Ｆも、互いの長辺の長さ及び互いの短辺の長さがそれぞれ略等しいものとなっている。尚、基板Ａ，Ｃ，Ｄ，Ｆにおける短辺の長さは、必ずしもこれら全てが略等しくなることを必須とせず、例えば、基板Ａ，Ｄの短辺が略等しく、これら２つの短辺の長さの合計（例えば基板Ａ，Ｄの短辺の合計）は、基板Ｂの長辺の長さを超えないことが好ましい。基板Ｃ，Ｆの短辺が等しく、そしてこれら２つの長さの短辺は、互いに異なっていてもよい。ただし、この実施形態では、これらの基板Ａ，Ｃ，Ｄ，Ｆの長辺の長さは、基板Ｂ，Ｅの短辺の長さと略等しくなっている。この温調マット１においては、各基板Ａ，Ｃ，Ｄ，Ｆの短辺の長さは、基板Ｂ，Ｅの長辺の長さの半分よりも若干短い。
【００２３】
図２の通り、基板Ａ〜Ｃがこの順に一列に配列され、基板Ｄ〜Ｆがこの順に、且つ該基板Ａ〜Ｃに隣接するように一列に配列されている。
【００２４】
基板Ａは、その長辺を基板Ｂの一方の短辺に突き合わせるようにして配置され、基板Ｃは、その長辺を基板Ｂの他方の短辺に突き合わせるようにして配置されている。また、基板Ｄは、その長辺を基板Ｅの一方の短辺に突き合わせるようにして配置され、基板Ｆは、その長辺を基板Ｅの他方の短辺に突き合わせるようにして配置されている。基板Ａ〜Ｃの列と基板Ｄ〜Ｆの列との間では、基板Ａ，Ｄが互いの短辺同士を突き合わせるようにして隣接し、基板Ｂ，Ｅが互いの長辺同士を突き合わせるようにして隣接し、基板Ｃ，Ｆが互いの短辺同士を突き合わせるようにして隣接している。
【００２５】
符号ＴＡＢは、基板Ａ，Ｂ同士の突き合わせ部を示し、符号ＴＢＣは、基板Ｂ，Ｃ同士の突き合わせ部を示し、符号ＴＤＥは、基板Ｄ，Ｅ同士の突き合わせ部を示し、符号ＴＥＦは、基板Ｅ，Ｆ同士の突き合わせ部を示し、符号ＴＡＤは、基板Ａ，Ｄ同士の突き合わせ部を示し、符号ＴＢＥは、基板Ｂ，Ｅ同士の突き合わせ部を示し、符号ＴＣＦは、基板Ｃ，Ｆ同士の突き合わせ部を示している。
【００２６】
なお、この実施の形態では、基板Ｄの外側の長辺から側外方に突出する張出部Ｄ’が設けられており、この張出部Ｄ’内にヘッダー４，４が配置されている。
【００２７】
均熱シート５は、アルミシートよりなり、各基板Ａ〜Ｆの上面にそれぞれ付着されている。この実施の形態では、図１（ｂ）の通り、突き合わせ部ＴＢＣ、ＴＡＢ、ＴＥＦ及びＴＤＥでは、均熱シート５は隣接する基板の上面同士に跨っている。突き合わせ部ＴＣＦ及びＴＡＤでは、図１（ｄ）の通り、均熱シート５は、隣接する基板同士の間で切れている。なお、図１（ｂ）は図１（ａ）のｂ−ｂ線断面図を示している。図示は省略するが、ｆ−ｆ断面、ｇ−ｇ断面及びｈ−ｈ断面も図１（ｂ）と同様に現われる。図１（ｄ）は、ｄ−ｄ断面及びｅ−ｅ断面を示している。
【００２８】
不織布６は、基板Ａ〜Ｆの上面全面を覆うように基板５の上面に付着されている。この不織布６及び均熱シート５には、基板Ｂ，Ｅの突き合わせ部ＴＢ，Ｅに沿ってスリット６Ｓが設けられている。更に当該スリットを設けないことが好ましい。不織布は伸縮性を有するので、折り畳み時にはこれが延びて無理なく折り畳め且つ、基板Ｂ，Ｅ同士の突き合わせ部を不織布で繋ぐことが出来るので、基板の連結効果が期待出来る。
【００２９】
図２の通り、温水配管３は、その一端が一方のヘッダー４（４ａ）に接続され、基板Ｄ，Ｅ，Ｆ，Ｃ，Ｂ，Ｃ，Ａ，Ｄの順に引き回され、温水配管３の他端が他方のヘッダー４（４ｂ）に接続されている。即ち、各温水配管３は基板Ｂ，Ｅの突き合わせ部ＴＢＥを周回するように基板Ｄ，Ｅ，Ｆ，Ｂ，Ａの上面に引き回されている。温水配管３は各基板Ａ〜Ｆの上面における配置密度がなるべく均一になるように、基板Ａ〜Ｆの上面を蛇行ないし湾曲しつつ延在している。
【００３０】
基板同士の突き合わせ部にあっては、図９（ａ）のように溝２が突き合わせ部（この場合ＴＢＣ）に沿って延在し、温水配管３が所定長さ該突き合わせ部ＴＢＣに沿って延在している。そのため、図１０のように基板を折り返したときには基板端面から温水配管３の断面の半分が突出した状態となる。
【００３１】
このように構成された温調マット１の折り畳み手順は次の通りである。
【００３２】
まず、図１のように温調マット１が展開され、不織布６を上向きとした状態から、図５（ａ）のように、基板Ａ，Ｂ同士の突き合わせ部ＴＡＢ及び基板Ｄ，Ｅ同士の突き合わせ部ＴＤＥに沿って、該基板Ａ及び基板Ｄを基板Ｂ及び基板Ｅの上側に折り返して重ねる。また、基板Ｂ，Ｃの突き合わせ部ＴＢＣ及び基板Ｅ，Ｆの突き合わせ部ＴＥＦに沿って基板Ｃ，Ｆを基板Ｂ，Ｅの上側に折り返して重ねて１次折り畳み体とする。基板Ｆ，Ｅ間で均熱シート５及び不織布６は一連となっているので、図５（ｄ）の通り、均熱シート５及び不織布６は基板Ｅ，Ｆ間に二つ折り状態となって介在する。図示は省略するが、基板Ｂ，Ｃの折り返し部、基板Ａ，Ｂの折り返し部及び基板Ｄ，Ｅの折り返し部も同様である。
【００３３】
図１０に示すように、基板Ｃを基板Ｂに重ねるように折り返した場合、基板Ｂ，Ｃの突き合わせ部ＴＢＣに臨む溝２内の温水配管３は、その一端側が基板Ａの溝２（半溝２’）内に残り、他端側が基板Ｂの溝２（半溝２’）に残る。そして、それらの間の配管３が一方の基板の半溝２’から他方の基板の半溝２’へ、半溝２’，２’の間の部分を乗り越えている。
【００３４】
図示は省略するが、突き合わせ部ＴＡＢ、ＴＥＦ及びＴＤＥでも同様である。
【００３５】
図５に示す一次折り畳み後、図６及び図７の通り、基板Ａ，Ｄの突き合わせ部ＴＡＤ、基板Ｃ，Ｆの突き合わせ部ＴＣＦ及び基板Ｂ，Ｅの突き合わせ部ＴＢＥに沿って、基板Ｂが基板Ｅに重なるように折り返す、均熱シート５及び不織布６にはスリット６Ｓが設けられているので、図７（ｂ）の通り、基板Ｂの不織布６及び均熱シート５と基板Ｅの不織布６及び均熱シート５とは離隔する。基板Ａ，Ｄ及び基板Ｃ、Ｆの不織布６は、図７（ｂ）の通り一連となっている。図示はしないが、スリット６Ｓがない場合でも、不織布６は延伸することができるので、ＴＢＥに沿って基板ＢとＥを折り返すことができる。
【００３６】
このように図６〜７に示す２次折り畳みを行うことにより、温調マットの折り畳み体の最終形態となる。この折り畳み体を、気密な袋内に収容し、内部を減圧状態とすることにより、折り畳み体を減容し、運搬や保管時の省スペースを図ることができる。
【００３７】
この折り畳み体は、施工現場に搬入し、解梱後、上記の折り畳みと逆の手順に従って展開させ、畳などの床下地に敷設する。この際、不織布６が上向きとなるように温調マット１を敷設する。そして、各ヘッダー４に給湯配管を接続することにより、床暖房することができる。この温調マット１は、基板同士が不織布６で連結されているので、人がその上を歩いても基板相互間がズレ動くことがない。
【００３８】
なお、特に本発明を限定するものではないが、基板Ａ〜Ｆの寸法の一例を挙げると、次の通りである。
基板Ａ，Ｃ，Ｄ，Ｆ  ４０５．５ｍｍ×７００ｍｍ
基板Ｂ，Ｅ          ８４９ｍｍ×７００ｍｍ
厚さ                １２ｍｍ
【００３９】
上記実施の形態では、基板Ｄにヘッダー４が配置されているが、その他の基板、例えば基板Ｅにヘッダーを配置してもよい。
【符号の説明】
【００４０】
Ａ〜Ｆ  基板
ＴＡＢ，ＴＢＣ，ＴＤＥ，ＴＥＦ，ＴＡＤ，ＴＢＥ，ＴＣＦ  突き合わせ部
１，１Ａ  床暖房マット
２  溝
３  温水配管
４  ヘッダー
５  均熱シート
６  不織布
６Ｓ  スリット
【図１】
0006597165.tif 000002
【図２】
0006597165.tif 000003
【図３】
0006597165.tif 000004
【図４】
0006597165.tif 000005
【図５】
0006597165.tif 000006
【図６】
0006597165.tif 000007
【図７】
0006597165.tif 000008
【図８】
0006597165.tif 000009
【図９】
0006597165.tif 000010
【図１０】
0006597165.tif 000011